(57)【要約】【課題】表示画面に表示されている画像を全て拡大対象として指定可能とすると共に、拡大後の画像が表示画面からはみ出さないようにする。【解決手段】本発明の電子機器１は、近接を検出したユーザの指の位置が、表示画面の周縁を含む第１領域に含まれるとき、指の位置近傍の画面端の表示領域を含めるように、拡大対象とする所定範囲の表示領域を設定する画像拡大制御部２７を有する。【選択図】図１
2014222491.tif 000002
【特許請求の範囲】
【請求項１】
画像を表示する表示画面を有する表示部と、
上記表示画面の表示領域への物体の近接を検出する近接検出部と、
上記近接検出部からの検出値により、上記表示画面における近接した物体の位置を取得する位置取得手段と、
上記位置取得手段によって取得された物体の位置を含む所定範囲の表示領域に表示された画像を、予め設定した倍率で拡大して、上記表示画面に表示させる画像拡大制御手段とを備え、
上記画像拡大制御手段は、
上記位置取得手段によって取得された物体の位置が、上記表示画面の周縁を含む第１領域に含まれるとき、上記物体の位置近傍の画面端の表示領域を含めるように、拡大対象とする所定範囲の表示領域を設定することを特徴とする電子機器。
【請求項２】
上記表示画面の周縁には、上記第１領域とは別に上記近接検出部による検出不可となる不感帯領域が含まれており、
上記画像拡大制御手段は、
上記位置取得手段によって取得された物体の位置が、上記第１領域に含まれているとき、上記物体の位置近傍の画面端の不感帯領域を、拡大対象とする所定範囲の表示領域に設定することを特徴とする請求項１に記載の電子機器。
【請求項３】
上記画像拡大制御手段は、
上記物体の位置が上記第１領域に含まれていると判断したとき、上記物体の位置及び当該物体の位置近傍の画面端の表示領域を含む所定範囲の表示領域を拡大対象の表示領域として設定する表示領域設定部と、
上記表示領域設定部で設定した表示領域に表示された画像を予め設定した倍率で拡大する画像拡大部とを含むことを特徴とする請求項１または２に記載の電子機器。
【請求項４】
上記画像拡大制御手段による画像の拡大倍率をＮ（Ｎ＞１）倍とし、上記表示画面の幅をＷ、高さをＨとしたとき、
上記表示領域設定部は、
上記物体の位置が上記第１領域に含まれていると判断したとき、表示画面の幅方向の画面端からＷ／Ｎ×（１／２）の位置、表示画面の高さ方向の画面端からＨ／Ｎ×（１／２）の位置を中心位置として、拡大対象の表示領域を設定することを特徴とする請求項３に記載の電子機器。
【請求項５】
上記画像拡大制御手段による画像の拡大倍率をＮ（Ｎ＞１）倍としたとき、
上記画像拡大部は、
上記表示領域設定部で設定した表示領域に表示された画像を、上記物体の位置から上記表示画面の幅方向に向かった画面端を中心として、上記拡大倍率Ｎで拡大することを特徴とする請求項３に記載の電子機器。
【請求項６】
コンピュータを請求項１から５のいずれか１項に記載の電子機器における各手段として機能させるための画像拡大プログラム。
【請求項７】
請求項６に記載の画像拡大プログラムを記録したコンピュータ読み取り可能な記録媒体。
【請求項８】
表示部の表示画面の表示領域に近接する物体の位置を取得する位置取得ステップと、
上記位置取得ステップによって取得した物体の位置を含む所定範囲の表示領域に表示された画像を、予め設定した倍率で拡大して、上記表示部に表示させる画像拡大制御ステップとを含み、
上記画像拡大制御ステップは、
上記位置取得ステップによって取得した物体の位置が、上記表示画面の周縁部を含む第１領域に含まれているとき、上記物体の位置近傍の画面端の表示領域を含めるように、拡大対象とする所定範囲の表示領域を設定することを特徴とする画像拡大方法。
【発明の詳細な説明】
【技術分野】
【０００１】
本発明は、表示画面に表示された画像を所望の操作により拡大表示可能な電子機器に関する。
【背景技術】
【０００２】
表示画面に表示された画像を所望の操作により拡大表示可能な電子機器として、例えば特許文献１に開示された電子機器がある。
【０００３】
特許文献１に開示された電子機器では、ユーザの指が表示画面に近接した状態で、当該指の位置を中心に、指の近接度合いに応じて画像を拡大・縮小するようになっている。
【先行技術文献】
【特許文献】
【０００４】
【特許文献１】特開２０１２−２３８１７７号公報（２０１２年１２月６日公開）
【発明の概要】
【発明が解決しようとする課題】
【０００５】
しかしながら、特許文献１に開示された電子機器のように、ユーザの指が表示画面に近接した状態で、当該指の位置を中心に、指の近接度合いに応じて画像を拡大した場合、例えば図１１（ａ）に示すように、表示画面１３１に近接した指位置を中心に拡大対象の矩形１３１ｄを設定し、図１１（ｂ）に示すように、設定した矩形１３１ｄを所定の倍率で拡大する。この場合、図１１（ｂ）に示すように、拡大後の矩形１３１ｄでは指の位置が、図１１（ａ）に示すように、拡大前の矩形１３１ｄの指の位置から大きくずれてしまう。このように、拡大後に指の位置が大きくずれ場合、例えば拡大前にユーザの指の下にある文字が、拡大後にユーザの指の下に存在しなくなり、ユーザの利便性が悪くなる。
【０００６】
これに対して、近接したユーザの指の位置を中心に拡大した場合、拡大前後で、近接したユーザの指の下の文字の位置をほとんど変化させない方法がある。
【０００７】
しかしながら、近接したユーザの指の位置が、例えば図１２（ａ）に示すように、表示画面１３１の端にあれば、図１２（ｂ）に示すように、拡大後のＡの位置Ａ’、Ｂの位置Ｂ’は表示画面１３１内に存在するものの、拡大後のＣの位置Ｃ’が表示画面１３１からはみ出してしまうという問題が生じる。
【０００８】
また、一般的な、画像表示を行うタッチパネルでは、接触や近接の誤検出を防ぐ目的で表示画面の周縁の所定領域が近接センサ、タッチセンサ等のセンサ検出が行われない領域、所謂不感帯が設けられている。
【０００９】
上記不感帯は表示画面の一部であるので、画像表示が行われるものの、近接センサによる検出が行うことができないので、不感帯に表示された画像を拡大対象として指定することができず、この結果、不感帯の画像が拡大できないという問題が生じる。
【００１０】
従って、従来の電子機器では、近接したユーザの指の位置が、表示画面の端に存在する場合に拡大処理を行えば、拡大後の画像が表示画面からはみ出したり、あるいは不感帯が存在すれば、不感帯の画像が拡大されなかったりし、ユーザの利便性を低下させるという問題が生じる。
【００１１】
本発明は、上記の各問題点に鑑みなされたものであり、その目的は、表示画面に表示されている画像を全て拡大対象として指定可能とすると共に、拡大後の画像が表示画面からはみ出さないようにすることで、ユーザの利便性を向上させることのできる電子機器を提供することにある。
【課題を解決するための手段】
【００１２】
上記の課題を解決するために、本発明の一態様に係る電子機器は、画像を表示する表示画面を有する表示部と、上記表示画面の表示領域への物体の近接を検出する近接検出部と、上記近接検出部からの検出値により、上記表示画面における近接した物体の位置を取得する位置取得手段と、上記位置取得手段によって取得された物体の位置を含む所定範囲の表示領域に表示された画像を、予め設定した倍率で拡大して、上記表示画面に表示させる画像拡大制御手段とを備え、上記画像拡大制御手段は、上記位置取得手段によって取得された物体の位置が、上記表示画面の周縁を含む第1領域に含まれるとき、上記物体の位置近傍の画面端の表示領域を含めるように、拡大対象とする所定範囲の表示領域を設定することを特徴としている。
【００１３】
本発明の一態様に係る画像拡大方法は、表示部の表示画面の表示領域に近接する物体の位置を取得する位置取得ステップと、上記位置取得ステップによって取得した物体の位置を含む所定範囲の表示領域に表示された画像を、予め設定した倍率で拡大して、上記表示部に表示させる画像拡大制御ステップとを含み、上記画像拡大制御ステップは、上記位置取得ステップによって取得した物体の位置が、上記表示画面の周縁部を含む第１領域に含まれているとき、上記近接位置近傍の画面端の表示領域を、拡大対象とする所定範囲の表示領域に設定することを特徴としている。
【発明の効果】
【００１４】
本発明の一態様によれば、表示画面の画面端である周縁の表示領域に表示された画像も拡大されることになり、ユーザの利便性を向上させることができるという効果を奏する。
【図面の簡単な説明】
【００１５】
【図１】本発明の実施形態１に係る電子機器の概略ブロック図である。
【図２】本発明の拡大処理における拡大対象の領域の設定を説明するための図である。
【図３】本発明の拡大処理の概要を説明するための図である。
【図４】図１に示す電子機器における拡大処理の一例を説明するための図である。
【図５】図４に示す拡大処理の流れを示すフローチャートである。
【図６】図１に示す電子機器における拡大処理の他の例を説明するための図である。
【図７】図６に示す拡大処理の流れを示すフローチャートである。
【図８】本発明の実施形態２に係る電子機器のディスプレイの一例を示す図である。
【図９】図８に示すディスプレイの表示画面上で近接を検出した指の位置を指定している状態を示す図である。
【図１０】図８に示すディスプレイにおいて近接を検出したユーザの指の位置がユーザの意図した位置とずれた状態を示す図である。
【図１１】従来の画像拡大方法の概要を示す図である。
【図１２】従来の画像拡大方法の他の例の概要を示す図である。
【発明を実施するための形態】
【００１６】
〔実施形態１〕
本発明の一実施の形態について説明すれば、以下の通りである。
【００１７】
図１は、本実施の形態に係る電子機器１の概略構成ブロック図である。
【００１８】
＜電子機器の概要＞
上記電子機器１は、図１に示すように、ディスプレイ（表示部）１１、近接センサ（近接検出部）１２、制御部１３、ＲＡＭ１４、ＲＯＭ１５を備えている。
【００１９】
上記ディスプレイ１１は、タッチパネルを備えており、ユーザのタッチ操作を受け付けるようになっている。タッチパネルは、タッチ操作を検知したことを示した出力値を後段の制御部１３に出力する。
【００２０】
上記近接センサ１２は、ディスプレイ１１の表示画面に対する物体の近接を検出するためのセンサである。従って、近接センサ１２は、ディスプレイ１１のタッチパネルの近傍に形成されるか、あるいはタッチパネルと一体的に形成されているのが好ましい。
【００２１】
なお、近接センサ１２は、高感度のタッチパネルにおける浮遊座標把握機能によって実現してもよい。
【００２２】
上記近接センサ１２は、物体の近接を検出したことを示した出力値を後段の制御部１３に出力する。
【００２３】
ここで、本実施形態で使用するディスプレイ１１は、図２（ａ）に示すように、表示画面３１の周縁部を囲むように、画面端３１ａ側から内側に向かって順に、不感帯境界線３１ｂ、拡大方法変更境界線ｘ１，ｘ２，ｙ１，ｙ２が設定されている。拡大方法変更境界線ｘ１，ｘ２，ｙ１，ｙ２は、不感帯境界線３１ｂから所定の距離内側に設定され、それぞれ画面端３１ａから設定された線である。そして、表示画面３１上の４つの角部分において、拡大方法変更境界線ｘ１、ｘ２と、拡大方法変更境界線ｙ１、ｙ２とはそれぞれ交差している。
【００２４】
画面端３１ａから不感帯境界線３１ｂまでの領域は、不感帯領域であり、接触や近接の誤検出を防ぐ目的で、近接センサ、タッチセンサ等のセンサ検出が行われない領域（ここでは、近接センサ１２による検出不可の領域）であるが、画像表示は可能となっている。
【００２５】
また、不感帯境界線３１ｂから拡大方法変更境界線ｘ１，ｘ２，ｙ１，ｙ２までのそれぞれの領域は、拡大方法の変更を判断するための領域であり、且つ、近接センサ、タッチセンサ等のセンサ検出が行われる領域である。本実施形態では、この不感帯境界線３１ｂと拡大方法変更境界線ｘ１，ｘ２，ｙ１，ｙ２との間の領域を第１領域と称する。つまり、この第１領域に、物体が近接した場合、第１領域よりも内側に物体が近接した場合とで、画像の拡大方法を変更するようになっている。画像の拡大方法の変更を制御は、制御部１３によって行われる。
【００２６】
上記制御部１３は、表示制御部２１、近接・接触状態制御部（位置取得手段）２２、不感帯境界線判断部２５、拡大方法変更境界線判断部２６、画像拡大制御部（画像拡大制御手段）２７を含んでいる。
【００２７】
上記近接・接触状態制御部２２は、前述したディスプレイ１１の表示画面に対する物体の近接または接触状態を制御するために、近接センサ制御部２３、タッチパネル制御部２４を含んでいる。
【００２８】
上記近接センサ制御部２３は、近接センサ１２からの出力値から、物体が近接した位置情報（座標）を求めて、後段の不感帯境界線判断部２５及び拡大方法変更境界線判断部２６に出力する。
【００２９】
上記タッチパネル制御部２４は、ディスプレイ１１のタッチパネルからの検出値から、物体の接触した位置情報（座標）を求めて、図示しない操作処理部に出力する。なお、この操作処理部の説明は、省略する。
【００３０】
上記不感帯境界線判断部２５は、近接センサ制御部２３から決定した座標が不感帯境界線３１ｂの外側か内側かを判断し、判断した結果を後段の画像拡大制御部２７の位置判断部２８に出力する。
【００３１】
上記拡大方法変更境界線判断部２６は、近接センサ制御部２３から決定した座標が拡大方法変更境界線ｘ１，ｘ２，ｙ１，ｙ２の外側か内側かを判断し、判断した結果を後段の画像拡大制御部２７の位置判断部２８に出力する。
【００３２】
上記画像拡大制御部２７は、位置判断部２８、表示領域設定部２９、画像拡大部３０を含んでいる。
【００３３】
上記位置判断部２８は、不感帯境界線判断部２５及び拡大方法変更境界線判断部２６からの判断結果から、近接センサ制御部２３が決定した座標が、ディスプレイ１１の表示画面の周縁を含む上述した第１領域（本実施形態では、拡大方法変更境界線ｘ１，ｘ２，ｙ１，ｙ２と不感帯境界線３１ｂとの間に形成された領域）に含まれているか否かを判断し、判断結果を表示領域設定部２９に出力する。
【００３４】
上記表示領域設定部２９は、位置判断部２８が決定した判断結果に応じて、拡大対象となる表示画面３１上の表示領域を設定するようになっている。ここで、判断結果が、物体が近接した座標が第１領域に含まれていることを示している場合と、物体が近接した座標が第１領域に含まれていないことを示している場合とで、表示領域の設定の仕方を変更している。この変更の仕方についての詳細は後述する。
【００３５】
上記表示領域設定部２９によって設定された拡大対象となる表示領域に関する情報を画像拡大部３０に出力する。
【００３６】
上記画像拡大部３０は、決定した拡大対象となる表示領域に表示されている画像を予め設定された拡大倍率Ｎ（Ｎ＞１）で拡大処理し、拡大処理した画像データを表示制御部２１に出力する。
【００３７】
上記表示制御部２１は、決定した画像データをディスプレイ１１に出力して、当該ディスプレイ１１の表示画面３１に拡大した画像を表示させる。
【００３８】
上記制御部１３における制御に使用する各種データ及びプログラムなどは、上記ＲＡＭ１４、ＲＯＭ１５に格納されている。
【００３９】
上記ＲＡＭ１４には、近接時のｘ座標（ｘ）、近接時のｙ座標（ｙ）、拡大前の画面の中心ｘ座標（ｃｘ）、拡大後の画面の中心ｙ座標（ｃｙ）が格納されている。ここで格納されているデータは、制御部１３による制御時に得られたデータであり、制御により逐次変化するデータである。
【００４０】
これに対して、上記ＲＯＭ１５には、不感帯境界線、拡大方法変更境界線、表示画面３１の画面の幅ｗ、表示画面３１の画面の高さｈ、画像拡大を行う際の拡大倍率（Ｎ＝scale）が格納されている。これらのデータは、予め設定されたデータであり、制御部１３による制御時に必要に応じて読み出される。
【００４１】
＜拡大対象の表示領域の設定の概要＞
本実施形態における拡大対象の表示領域の設定の概要について図２を参照しながら以下に説明する。
【００４２】
ディスプレイ１１には、図２（ａ）に示すように、表示画面３１において、画面端３１ａから内側に向かって、不感帯境界線３１ｂ、拡大方法変更境界線ｘ１，ｘ２，ｙ１，ｙ２が設定されている。この詳細については、前述したので省略する。
【００４３】
上記ディスプレイ１１の表示画面３１において、拡大方法変更境界線ｘ１，ｘ２，ｙ１，ｙ２よりも内側に、近接したユーザの指Ａの位置が存在する場合には、当該指Ａの位置を中心にした拡大対象の表示領域（所定範囲の表示領域）を設定し、設定した表示領域に表示された画像を所定の拡大倍率で拡大する。
【００４４】
一方、図２（ａ）に示すように、上記ディスプレイ１１の表示画面３１において、拡大方法変更境界線ｘ１，ｘ２，ｙ１，ｙ２よりも外側で、且つ不感帯境界線３１ｂよりも内側の第１領域に、近接したユーザの指Ａの位置が存在する場合には、図２（ｃ）に示すように、上記指Ａの位置近傍（拡大方法変更境界線ｘ１側）の画面端３１ａの表示領域を含めるように、拡大対象の表示領域３１ｃを設定し、設定した表示領域に表示された画像を所定の拡大倍率で拡大する。つまり、決定された指Ａの位置が、上記第１領域に含まれるとき、上記指Ａの位置近傍の画面端３１ａの表示領域を含めるように、拡大対象とする所定範囲の表示領域を設定する。
【００４５】
＜拡大処理の概要＞
本実施形態における拡大処理の概要について図３を参照しながら以下に説明する。
【００４６】
ここでは、図３（ａ）に示すように、表示画面３１の左上頂点をｘ、ｙの座標（０，０）として、表示画面３１の幅をＷ、高さをＨとして説明する。
【００４７】
図３（ａ）に示すように、ユーザの指Ａの位置Ｂが表示画面３１の拡大方法変更境界線ｘ１よりも外側に含まれるときには、指Ａの位置Ｂのｘ軸上の（Ｗ／４，位置Ｂのｙ座標）を座標Ｃとし、この座標Ｃを中心に拡大する。拡大した画像は、図３（ｂ）に示すようになる。この拡大図では、指Ａの位置Ｂは、多少ずれているが、画面の端まで拡大可能となる。
【００４８】
＜拡大処理（１）＞
図４を参照しながら、本実施形態における画像拡大処理（画像拡大方法）について説明する。ここで、拡大倍率Ｎを２倍、ディスプレイ１１の表示画面３１の幅をＷ、高さをＨとしたとき、図４（ａ）に示すように、ユーザの指Ａの位置Ｂが上記第１領域（拡大方法変更境界線ｘ１と不感帯境界線３１ｂとの間の領域）に含まれているとき、上記指Ａの位置Ｂの幅方向の延長線上の、表示画面３１の幅方向の画面端３１ａからＷ／４の位置を拡大後の表示領域の中心位置Ｃのｘ座標、表示画面３１の高さ方向の画面端３１ａから位置Ｂのｙ座標の位置を上記中心位置Ｃのｙ座標として、幅Ｗ／２、高さＨ／２となる拡大対象の表示領域３１ｃを設定する。
【００４９】
上記表示領域３１ｃは、２倍拡大すると、図４（ｂ）に示すように、表示画面３１の全画面に拡大表示される。このように拡大処理を行うことで、ユーザの指Ａの位置Ｂの位置が多少ずれるものの、ほぼ同じ位置で所望する表示領域を拡大することできる。
【００５０】
上記拡大処理の流れを図５に示すフローチャートを参照しながら以下に説明する。
【００５１】
まず、近接センサ制御部２３は、近接・接触状態制御部２２から出力値を得る（Ｓ１１）。そして、近接センサ制御部２３は、決定した出力値から物体がディスプレイ１１に近接しているか否かを判定する（Ｓ１２）。ここで、決定した出力値が予め設定した範囲内の値である場合に、近接していると判定し、設定した範囲外の値であれば、近接していない（接触も含めて）と判定する。そして、Ｓ１２において、近接していないと判定（ＮＯ）の場合、再びＳ１１に移行して、近接センサ１２からの出力値を取得する。一方、Ｓ１２において、近接していると判定（ＹＥＳ）の場合、Ｓ１３に移行し、近接・接触状態制御部２２は、上記出力値から近接時の座標を取得する。取得した座標は、ＲＡＭ１４に記憶される。
【００５２】
続いて、画像拡大制御部２７は、近接センサ制御部２３によって求められた近接時の座標が不感帯内（画面端３１ａと不感帯境界線３１ｂとの間の領域）に存在しているのかを判断する（Ｓ１４）。ここで、近接時の座標が、不感帯内に存在している場合には、Ｓ１１に移行し、不感帯内に存在していなければ、Ｓ１５に移行して、近接時の座標のｘ座標がどの位置に存在しているかを判断する。
【００５３】
Ｓ１５において、近接時のｘ座標が拡大方法変更境界線ｘ１よりも外側に存在していると判断したとき、拡大後の中心座標を、ｃｘ＝ｗ／（２＊scale）にセットし（Ｓ１６）、近接時のｘ座標が拡大方法変更境界線ｘ１よりも内側かつ、ｘ２よりも内側に存在していると判断したとき、拡大後の中心座標を、ｃｘ＝（ｗ／２＋（scale−１）＊ｘ）／scaleにセットし（Ｓ１７）、近接時のｘ座標が拡大方法変更境界線ｘ２よりも外側に存在していると判断したとき、拡大後の中心座標を、ｃｘ＝ｗ−ｗ／（２＊scale）にセットする（Ｓ１８）。
【００５４】
続いて、Ｓ１９に移行して、近接時のｙ座標がどの位置に存在しているかを判断する。
【００５５】
Ｓ１９において、近接時のｙ座標が拡大方法変更境界線ｙ１よりも外側に存在していると判断したとき、拡大後の中心座標を、ｃｙ＝ｈ／（２＊scale）にセットし（Ｓ２０）、近接時のｙ座標が拡大方法変更境界線ｙ１よりも内側かつ、ｙ２よりも内側に存在していると判断したとき、拡大後の中心座標を、ｃｙ＝（ｈ／２＋（scale−１）＊ｙ）／scaleにセットし（Ｓ２１）、近接時のｙ座標が拡大方法変更境界線ｙ２よりも外側に存在していると判断したとき、拡大後の中心座標を、ｃｙ＝ｈ−ｈ／（２＊scale）にセットする（Ｓ２２）。
【００５６】
上記のＳ１５，１９によって、表示画面３１の第１領域（不感帯境界線３１ｂと拡大方法変更境界線ｘ１，ｘ２，ｙ１，ｙ２との間の領域）で近接を検出した物体（指Ａ）の表示画面３１での位置を取得する位置取得ステップを実現している。
【００５７】
最後に、Ｓ１６〜Ｓ１８，Ｓ２０〜２２においてセットした中心座標を元に幅ｗ／scale、高さｈ／scaleの矩形をscale倍に拡大して表示画面３１に表示させる（Ｓ２３）。また、Ｓ２３によって、位置取得ステップを実現しているＳ１５，Ｓ１９によって決定した物体（指Ａ）の表示画面３１上での位置（ｘ座標、ｙ座標）を含む所定範囲の表示領域に表示された画像を、予め設定した倍率scaleで拡大して、上記表示画面３１に表示させる画像拡大制御ステップを実現している。
【００５８】
＜拡大処理（２）＞
図６を参照しながら、本実施形態における画像拡大処理（画像拡大方法）について説明する。ここで、画像の拡大倍率を２倍としたとき、図６（ａ）に示すように、ユーザの指Ａの位置Ｂが上記第１領域（拡大方法変更境界線ｘ１と不感帯境界線３１ｂとの間の領域）に含まれているとき、上記位置Ｂを含む所定範囲の表示領域に表示された画像を、上記指Ａの位置Ｂから上記表示画面３１の幅方向に向かった画面端３１ａの点Ｂ’を中心として、上記２倍で拡大して、図６（ｂ）に示すように、表示画面３１の全画面に拡大表示される。このように拡大処理を行うことで、ユーザの指Ａの位置Ｂの位置が多少ずれるものの、ほぼ同じ位置で所望する表示領域を拡大することできる。
【００５９】
上記拡大処理の流れを図７に示すフローチャートを参照しながら以下に説明する。ここで、図６（ａ）（ｂ）に示すディスプレイ１１の表示画面３１の幅をＷ，高さをＨとして、当該表示画面３１の座標は（０，０）〜（ｗ，ｈ）とする。ｗは、Ｗの長さ、ｈは、Ｈの長さを示す。
【００６０】
まず、近接センサ制御部２３は、近接・接触状態制御部２２から出力値を得る（Ｓ３１）。そして、近接センサ制御部２３は、決定した出力値から物体がディスプレイ１１に近接しているか否かを判定する（Ｓ３２）。ここで、決定した出力値が予め設定した範囲内の値である場合に、近接していると判定し、設定した範囲外の値であれば、近接していない（接触も含めて）と判定する。そして、Ｓ３２において、近接していないと判定（ＮＯ）の場合、再びＳ３１に移行して、近接センサ１２からの出力値を取得する。一方、Ｓ３２において、近接していると判定（ＹＥＳ）の場合、Ｓ３３に移行し、近接・接触状態制御部２２は、上記出力値から近接時の座標を取得する。取得した座標は、ＲＡＭ１４に記憶される。
【００６１】
続いて、画像拡大制御部２７は、近接センサ制御部２３によって求められた近接時の座標が不感帯内（画面端３１ａと不感帯境界線３１ｂとの間の領域）に存在しているのかを判断する（Ｓ３４）。ここで、近接時の座標が、不感帯内に存在している場合には、Ｓ３１に移行し、不感帯内に存在していなければ、Ｓ３５に移行して、近接時の座標のｘ座標がどの位置に存在しているかを判断する。
【００６２】
Ｓ３５において、近接時のｘ座標が拡大方法変更境界線ｘ１よりも外側に存在していると判断したとき、指の位置のｘ座標を０とみなし（Ｓ３６）、近接時のｘ座標が拡大方法変更境界線ｘ１よりも内側かつ、ｘ２よりも内側に存在していると判断したとき、Ｓ３８に移行し、近接時のｘ座標が拡大方法変更境界線ｘ２よりも外側に存在していると判断したとき、指の位置のｘ座標をｗとみなす（Ｓ３７）。
【００６３】
続いて、Ｓ３８に移行して、近接時のｙ座標がどの位置に存在しているかを判断する。
【００６４】
Ｓ３８において、近接時のｙ座標が拡大方法変更境界線ｙ１よりも外側に存在していると判断したとき、指の位置のｙ座標を０とみなし（Ｓ３９）、近接時のｙ座標が拡大方法変更境界線ｙ１よりも内側かつ、ｙ２よりも内側に存在していると判断したとき、Ｓ４１に移行し、近接時のｙ座標が拡大方法変更境界線ｙ２よりも外側に存在していると判断したとき、指の位置のｙ座標をｈとみなす（Ｓ４０）。
【００６５】
最後に、指の位置を中心に画像を予め設定した拡大倍率で拡大して表示画面３１に表示させる（Ｓ４１）。すなわち、指の位置が第１領域に含まれている場合には、表示画面３１の画面端３１ａを指の位置とみなし、みなした指の位置を中心に画像を拡大し、指の位置が第１領域よりも内側の当該表示画面３１側に含まれている場合には、近接センサ１２によって検出した指の位置をそのまま中心として画像を拡大している。
【００６６】
本実施形態では、ディスプレイ１１の表示画面３１に不感帯が設定された場合について説明したが、本発明は、不感帯の有無に関係なく適用することができる。以下の実施形態２では、表示画面に不感帯が無い場合の例について説明する。
【００６７】
〔実施形態２〕
本発明の他の実施形態について、説明すれば、以下のとおりである。なお、説明の便宜上、前記実施形態１にて説明した部材と同じ機能を有する部材については、同じ符号を付記し、その説明を省略する。
【００６８】
図８は、不感帯がないディスプレイ５１の一例を示している。すなわち、ディスプレイ５１は、図８に示すように、周縁部に額縁５１ａを設けることで、表示画面６１に不感帯を設けないようにしている。つまり、ユーザがディスプレイ５１を持った状態で、指Ａの付け根が表示画面６１の外側、すなわち額縁５１ａ上に位置するようになるため、近接、接触などの誤検出を招かない。
【００６９】
従って、図８に示すディスプレイ５１のように、表示画面６１に不感帯がないことにより、表示画面６１の画面端近傍においても近接センサ１２による検出が可能となる。ここで、図９に示すように、本実施形態では、表示画面６１において、画前記実施形態１の図２（ａ）に示す不感帯境界線３１ｂはなく、拡大方法変更境界線ｘ１，ｘ２，ｙ１，ｙ２のみが設定されている。このため、図９に示すように、表示画面６１上の指のシルエットＡ２が、画面中央にある場合、正確に指の中央を計算できるが、指のシルエットＡ１のように、指の半分が画面外にはみ出している場合、すなわち拡大方法変更境界線ｘ１よりも外側にある場合、正確に指の中央を計算できない。
【００７０】
このため、図１０に示すように、指Ａが中央にあるときと比較して、指Ａの中心点が、少し内側にずれる。すなわち、拡大方法変更境界線ｘ１の外側に存在していると判断された座標Ｂは、ユーザが意図している位置とは異なり、少し内側にずれた座標Ｂ’となる。このような場合、一般的な、指の位置を中心に拡大する方法では、このような座標がずれる場合には、拡大した画像が、ユーザが所望する画像と異なる虞がある。
【００７１】
従って、上記のように、不感帯が無い場合に生じる問題、すなわち表示画面の画面端において、ユーザが意図した位置の座標が検出されないという問題は、本発明を適用することによって解消することができる。ここで、本実施形態では、前記実施形態１の第１領域が、拡大方法変更境界線ｘ１，ｘ２，ｙ１，ｙ２の外側の領域に相当することになる。つまり、指の近接座標が、拡大方法変更境界線ｘ１，ｘ２，ｙ１，ｙ２の外側の領域に存在しているか、拡大方法変更境界線ｘ１，ｘ２，ｙ１，ｙ２の内側に存在しているかによって、拡大方法を変更することになる。
【００７２】
このため、ディスプレイ５１の表示画面６１の周縁部に、上述したように、前記実施形態１と同様に、拡大方法を変更するための判断基準となる拡大方法変更境界線ｘ１，ｘ２，ｙ１，ｙ２を設定すればよい。この拡大方法変更境界線ｘ１，ｘ２，ｙ１，ｙ２は、表示画面６１において、指のシルエットから正確に指の中央を計算できる位置を境界にして設定されるのが好ましい。つまり、近接時の指の位置が、拡大方法変更境界線ｘ１，ｘ２，ｙ１，ｙ２を超えた内側に含まれる場合、正確に指の中央を計算できるため、近接時に検出した指の位置をそのまま中心として画像の拡大処理を行うようにし、近接時の指の位置が、拡大方法変更境界線ｘ１，ｘ２，ｙ１，ｙ２の外側の第１領域に含まれる場合、正確に指の中央を計算できないため、近接時に検出した指の位置をずらして、ずらした位置を中心として画像の拡大処理を行うようにする。
【００７３】
なお、拡大処理の詳細は、前記実施形態１と同じであるため、詳細は省略する。
【００７４】
〔ソフトウェアによる実現例〕
電子機器１の制御ブロック（特に画像拡大制御部２７）は、集積回路（ＩＣチップ）等に形成された論理回路（ハードウェア）によって実現してもよいし、ＣＰＵ（Central Processing Unit）を用いてソフトウェアによって実現してもよい。
【００７５】
後者の場合、電子機器１は、各機能を実現するソフトウェアである画像拡大プログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７６】
〔まとめ〕
本発明の態様１に係る電子機器（１）は、画像を表示する表示画面（３１）を有する表示部（ディスプレイ１１）と、上記表示画面の表示領域への物体の近接を検出する近接検出部（近接センサ１２）と、上記近接検出部からの検出値により、上記表示画面における近接した物体の位置を取得する位置取得手段（近接・接触状態制御部２２）と、上記位置取得手段によって取得された物体の位置を含む所定範囲の表示領域に表示された画像を、予め設定した倍率で拡大して、上記表示画面に表示させる画像拡大制御手段（画像拡大制御部２７）とを備え、上記画像拡大制御手段は、上記位置取得手段によって取得された物体の位置が、上記表示画面の周縁を含む第１領域（不感帯境界線３１ｂと拡大方法変更境界線ｘ１，ｘ２，ｙ１，ｙ２との間の領域）に含まれるとき、上記物体の位置近傍の画面端の表示領域を含めるように、拡大対象とする所定範囲の表示領域を設定することを特徴としている。
【００７７】
上記構成によれば、位置取得手段によって取得された物体の位置が、上記表示画面の周縁を含む第１領域に含まれているとき、上記物体の位置近傍の画面端の表示領域を含めるように、拡大対象とする所定範囲の表示領域を設定することで、表示画面の画面端である周縁の表示領域に表示された画像も拡大されることになる。
【００７８】
これにより、表示画面の表示領域に表示された全ての画像を、拡大対象にすることができる。
【００７９】
本発明の態様２に係る電子機器は、上記態様１において、上記表示画面の周縁には、上記第１領域とは別に上記近接検出部による検出不可となる不感帯領域（画面端３１ａと不感帯境界線３１ｂとの間の領域）が含まれており、上記画像拡大制御手段は、上記位置取得手段によって取得された物体の位置が、上記第１領域に含まれているとき、上記物体の位置近傍の画面端の不感帯領域を、拡大対象とする所定範囲の表示領域に設定することを特徴しいている。
【００８０】
上記構成によれば、近接検出部によって物体の近接を検出できない不感帯領域が存在していても、位置取得手段によって取得された物体の位置が、上記第１領域に含まれているとき、上記物体の位置近傍の画面端の不感帯領域を、拡大対象とする所定範囲の表示領域に設定することで、不感帯領域に表示された画像も拡大表示することが可能となる。
【００８１】
従って、表示画面の画面端である周縁付近で物体の近接を検出できないような電子機器においても、画面端に表示されている画像を拡大することができ、ユーザの利便性が向上するという効果を奏する。
【００８２】
本発明の態様３に係る電子機器は、上記態様１または２において、上記画像拡大制御手段は、上記物体の位置が上記第１領域に含まれていると判断したとき、上記物体の位置及び当該物体の位置近傍の画面端の表示領域を含む所定範囲の表示領域を拡大対象の表示領域として設定する表示領域設定部（２９）と、上記表示領域設定部で設定した表示領域に表示された画像を予め設定した倍率で拡大する画像拡大部（３０）とを含むことを特徴としている。
【００８３】
上記構成によれば、表示領域設定部は、物体の位置が第１領域に含まれていると判断されたとき、上記物体の位置及び当該物体の位置近傍の画面端の表示領域を含む所定範囲の表示領域を拡大対象の表示領域として設定し、画像拡大部は、この設定した表示領域に表示されている画像を予め設定した倍率で拡大することで、画面端の表示領域に表示された画像も拡大されることになる。
【００８４】
これにより、表示画面の表示領域に表示された全ての画像を、拡大対象にすることができる。
【００８５】
本発明の態様４に係る電子機器は、上記態様３において、上記画像拡大制御手段による画像の拡大倍率をＮ（Ｎ＞１）倍とし、上記表示画面の幅をＷ、高さをＨとしたとき、上記表示領域設定部は、上記物体の位置が上記第１領域に含まれていると判断したとき、表示画面の幅方向の画面端からＷ／Ｎ×（１／２）の位置、表示画面の高さ方向の画面端からＨ／Ｎ×（１／２）の位置を中心位置として、拡大対象の表示領域を設定することを特徴としている。
【００８６】
上記の構成によれば、物体の位置が上記第１領域に含まれていると判断したとき、表示画面の幅方向の画面端からＷ／Ｎ×（１／２）の位置、表示画面の高さ方向の画面端からＨ／Ｎ×（１／２）の位置を中心位置として、拡大対象の表示領域を設定することで、表示部の表示画面からはみ出さないように拡大倍率Ｎで拡大された画像を表示させることができる。
【００８７】
本発明の態様５に係る電子機器は、上記態様３において、上記画像拡大制御手段による画像の拡大倍率をＮ（Ｎ＞１）倍としたとき、上記画像拡大部は、上記表示領域設定部で設定した表示領域に表示された画像を、上記物体の位置から上記表示画面の幅方向に向かった画面端を中心として、上記拡大倍率Ｎで拡大することを特徴としている。
【００８８】
上記の構成によれば、表示領域設定部で設定した表示領域に表示された画像を、上記物体の位置から上記表示画面の幅方向に向かった画面端を中心として、上記拡大倍率Ｎで拡大することで、表示部の表示画面からはみ出さないように拡大倍率Ｎで拡大された画像を表示させることができる。
【００８９】
本発明の態様６に係る画像拡大方法は、表示部の表示画面の表示領域に近接する物体の位置を取得する位置取得ステップ（Ｓ１５，１９）と、上記位置取得ステップによって取得した物体の位置を含む所定範囲の表示領域に表示された画像を、予め設定した倍率で拡大して、上記表示部に表示させる画像拡大制御ステップ（Ｓ２３）とを含み、上記画像拡大制御ステップは、上記位置取得ステップによって取得した物体の位置が、上記表示画面の周縁部を含む第１領域に含まれているとき、上記物体の位置近傍の画面端の表示領域を含めるように、拡大対象とする所定範囲の表示領域を設定することを特徴としている。
【００９０】
本発明の各態様に係る電子機器は、コンピュータによって実現してもよく、この場合には、コンピュータを上記電子機器が備える各手段として動作させることにより上記電子機器をコンピュータにて実現させる電子機器の画像拡大プログラム、およびそれを記録したコンピュータ読み取り可能な記録媒体も、本発明の範疇に入る。
【００９１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９２】
本発明は、表示画面に対して近接状態で操作可能なスマートフォン、タブレット端末等の電子機器に利用することができる。
【符号の説明】
【００９３】
１  電子機器
１１  ディスプレイ（表示部）
１２  近接センサ（近接検出部）
１３  制御部
１４  ＲＡＭ
１５  ＲＯＭ
２１  表示制御部
２２  近接・接触状態制御部（位置決定手段）
２３  近接センサ制御部
２４  タッチパネル制御部
２５  不感帯境界線判断部
２６  拡大方法変更境界線判断部
２７  画像拡大制御部（画像拡大制御手段）
２８  位置判断部
２９  表示領域設定部
３０  画像拡大部
３１  表示画面
３１ａ  画面端
３１ｂ  不感帯境界線
３１ｃ  表示領域
５１  ディスプレイ
５１ａ  額縁
６１  表示画面
【図１】
2014222491.tif 000003
【図２】
2014222491.tif 000004
【図３】
2014222491.tif 000005
【図４】
2014222491.tif 000006
【図５】
2014222491.tif 000007
【図６】
2014222491.tif 000008
【図７】
2014222491.tif 000009
【図８】
2014222491.tif 000010
【図９】
2014222491.tif 000011
【図１０】
2014222491.tif 000012
【図１１】
2014222491.tif 000013
【図１２】
2014222491.tif 000014